【手続補正書】
【提出日】令和3年7月5日(2021.7.5)
【手続補正１】
【補正対象書類名】特許請求の範囲
【補正対象項目名】全文
【補正方法】変更
【補正の内容】
【特許請求の範囲】
【請求項１】
包装材料を折って器具トレイを包装するための装置であって、
−前記包装材料を折って前記器具トレイを包装する間に、前記器具トレイを支持するための支持面と、
−第１折り板であって、
・前記第１折り板が前記支持面に対して略垂直に延出し、それにより、前記支持面との第１交線を有して前記器具トレイの移動に対抗するリミットストップを形成する、第２位置と、
・前記支持面が、前記第１交線の高さで空いており、且つ、平坦である第１位置と、
の間で移動可能な第１折り板と、
−第２折り板であって、
・前記第２折り板が前記支持面に対して略垂直に延出し、それにより、前記支持面との第２交線を有して前記器具トレイの移動に対抗するリミットストップを形成する、第２位置と、
・前記支持面が、前記第２交線の高さで空いており、且つ、平坦である第１位置と、
の間で移動可能な第２折り板と、
を備える装置において、
−前記第１交線と前記第２交線とは、互いに略平行であり、
−折りを行う前、及び／又は、間に、予め定められた線部分の上で前記包装材料を固定するための可動折り補助器具と、
−前記包装材料を把持し移動するための少なくとも１つの可動クランプと、
前記第１折り板の、その前記第１位置と前記第２位置との間の移動、前記第２折り板の、その前記第１位置と前記第２位置との間の移動、前記折り補助器具の移動、及び、前記少なくとも１つのクランプの移動、把持及び解放、を制御するための制御ユニットと、
を備える、装置。
【請求項２】
前記第１位置における前記第１折り板は、前記支持面に概ね沿うか、又は、前記支持面の下方に配置され、前記第１位置における前記第２折り板は、前記支持面に概ね沿うか、又は、前記支持面の下方に配置される、請求項１に記載の装置。
【請求項３】
前記第１折り板、及び／又は、前記第２折り板は、前記支持面に対して平行移動可能に配置される、請求項１に記載の装置。
【請求項４】
前記第１折り板、及び／又は、前記第２折り板は、前記支持面に対して回転可能に接続される、請求項２に記載の装置。
【請求項５】
少なくとも前記第１折り板又は前記第２折り板には、前記第１折り板又は前記第２折り板の少なくとも第２位置において鉛直に伸びる旋回軸周りで、前記第１折り板又は前記第２折り板に接続される少なくとも１つの折り部が設けられる、請求項１〜４の何れか一項に記載の装置。
【請求項６】
前記第１折り板、及び／又は、前記第２折り板を、前記第１位置と、前記第２位置との間で移動するために前記支持面の下方に設けられる、少なくとも１つの可動磁石を更に備える、請求項１〜５の何れか一項に記載の装置。
【請求項７】
押圧要素が前記第１折り板又は前記第２折り板の少なくとも一方の端部の近傍に設けられ、前記押圧要素は、前記第１折り板及び前記第２折り板によって限定される領域の外側に延出する前記包装材料の一部を、前記第１交線と前記第２交線の間に位置する領域に向かって押圧する、請求項１〜６の何れか一項に記載の装置。
【請求項８】
押圧要素が前記折り部上の突起によって形成され、前記押圧要素は、前記第１折り板及び前記第２折り板によって限定される領域の外側に延出する前記包装材料の一部を、前記第１交線と前記第２交線の間に位置する領域に向かって押圧する、請求項５に記載の装置。
【請求項９】
前記突起は、前記支持面から距離を空けて位置している、請求項８に記載の装置。
【請求項１０】
前記第１交線及び前記第２交線は、包装される器具トレイの長さ又は幅に略一致する、特に１０から８０ｃｍの間の相互間の距離にて配置される、請求項１〜９の何れか一項に記載の装置。
【請求項１１】
前記第１交線と前記第２交線との間の距離は、調節可能である、請求項１〜１０の何れか一項に記載の装置。
【請求項１２】
前記折り補助器具は、少なくとも部分的に平坦な形状を有する、請求項１〜１１の何れか一項に記載の装置。
【請求項１３】
包装材料を供給するための供給手段と、
器具トレイを供給するための供給手段と、
を備える、請求項１〜１２の何れか一項に記載の装置。
【請求項１４】
前記器具トレイを供給するための供給手段は、前記少なくとも１つのクランプによって形成される、請求項１３に記載の装置。
【請求項１５】
前記包装材料を供給するための供給手段は、前記少なくとも１つのクランプによって形成される、請求項１３に記載の装置。
【請求項１６】
前記包装材料の予め定められた位置への固定を確立するための手段を更に備える、請求項１〜１５の何れか一項に記載の装置。
【請求項１７】
包装材料を折って器具トレイを包装するための方法であって、連続するステップ
ａ）包装材料を支持面上に配置することであって、前記包装材料は、略長方形で、且つ、第１、第２、第３及び第４一次辺のそれぞれを有し、前記第１一次辺は、前記第２一次辺の反対側に位置し、前記第３一次辺は、前記第４一次辺の反対側に位置する、配置することと、
ｂ）器具トレイを前記包装材料上に配置することと、
ｃ）前記包装材料の前記第１一次辺を把持し、前記器具トレイを越えて、前記第２一次辺から予め定められた距離まで折り、それにより、第１二次辺を形成することと、
ｄ）前記支持面から前記第１二次辺の高さに延出する第１リミットストップを配置することと、
ｅ）前記第２一次辺を把持し、前記第１一次辺を越えて折り、それにより、第２二次辺を形成することと、
ｆ）前記包装材料を、前記支持面に対して、前記器具トレイの前記第１リミットストップから反対を向く側の近傍に固定することと、
ｇ）前記第２二次辺を把持し、折ることで、前記第２二次辺を前記器具トレイの上面上に配置し、それにより、三次辺を形成することと、
ｈ）前記支持面から前記三次辺の高さに延出する第２リミットストップを配置することと、
ｉ）前記包装材料を、前記第３一次辺に沿う線部分の上で、前記器具トレイの近傍に固定することと、
ｊ）前記包装材料の前記第３一次辺を折ることで、前記第３一次辺を前記器具トレイの上面上に少なくとも部分的に配置することと、
ｋ）前記包装材料を、前記第４一次辺に沿う線部分の上で、前記器具トレイの近傍に固定することと、
ｌ）前記包装材料の第４一次辺を折ることで、前記第４一次辺を前記器具トレイの上面上に配置することと、
を備える方法。
【請求項１８】
ステップｇ）と、ｈ）とは、ほぼ同時に行われる、請求項１７に記載の方法。
【請求項１９】
前記ステップｉ）と前記ステップｊ）との間に、ステップｉ２）前記包装材料の少なくとも一部を、前記線部分の高さで折ること、を更に含む請求項１７又は１８に記載の方法。
【請求項２０】
前記ステップｊ）と前記ステップｋ）との間に、ステップｊ２）前記第３一次辺と前記包装材料とを、前記器具トレイの上面上で結合すること、を更に含む請求項１７〜１９の何れか一項に記載の方法。
【請求項２１】
前記ステップｌ）の後に、ステップｌ２）前記第４一次辺と前記包装材料とを、前記器具トレイの上面上で結合すること、を更に含む請求項１７〜２０の何れか一項に記載の方法。
【請求項２２】
請求項１〜１６の何れか一項に記載の装置を用いる、請求項１７〜２１の何れか一項に記載の方法。
【請求項２３】
−ステップｃ）、ｅ）、ｇ）、ｊ）及びｌ）は、前記少なくとも１つのクランプによって実行され、
−ステップｄ）は、前記第１折り板を、前記第１位置から前記第２位置に移動することによって行われ、
−ステップｆ）、ｉ）及びｋ）は、前記可動折り補助器具によって実行され、
−ステップｈ）は、前記第２折り板を、前記第１位置から前記第２位置に移動することによって行われる、
請求項２２に記載の方法。
【請求項２４】
ステップａ）は、前記少なくとも１つのクランプを用いて実行される、請求項２３に記載の方法。
【請求項２５】
ステップｂ）は、前記少なくとも１つのクランプを用いて、又は、コンベアベルトを介して実行される、請求項２３又は２４に記載の方法。